(57)【要約】【課題】電線を固定するバインド線を覆うようにヤットコなどにより装着可能な絶縁材料よりなる構造を実現して、絶縁性の劣化したバインド線の取付箇所での地絡事故の防止処置を間接活線工法により安全に行うことができる保護具を提供すること。【解決手段】電線を内装するカバー部１１と、このカバー部中央の切欠部１５内に位置するピン碍子に固定する固定部１２とを備える。カバー部は、スリット１１ｂの端辺部１３ａ、１３ｂから突出・拡開して電線を間に位置させる延在部１４ａ、１４ｂと、絶縁操作棒先端のフックを引っ掛け可能に延在部の端部側に開口する長穴１９と、カバー部の両端部の上側に固設されてヤットコにより把持可能な把持形状部１８と、が形成されている。固定部は、ヤットコにより把持可能な把持部１７と、伸縮させてピン碍子の窪み部に引っ掛けて固定する伸縮部１６と、を備えている。【選択図】図１
2007221918.tif 000002
【特許請求の範囲】
【請求項１】
巻き付けることにより電線を固定用部材に固定するバインド線を覆うように該電線の外側に取り付ける保護具であって、
固定用部材にワンタッチに取り付けて固定する固定部と、電線の外面を覆うように形成されて該電線にワンタッチに取り付けるカバー部と、が連設されており、
全体の少なくとも表面が絶縁材料により作製されていることを特徴とする保護具。
【請求項２】
前記固定用部材が窪み形状を形成されているに対して、
前記固定部は、弾性変形することにより該固定用部材の外側の外形形状を超えて内側の窪み形状に嵌まり込む輪形状に弾性材料により作製されていることを特徴とする請求項１に記載の保護具。
【請求項３】
前記固定用部材が窪み形状を形成されているに対して、
前記固定部は、少なくとも該固定用部材の窪み形状から外側の外形形状を含む概略同一形状の内部空間を有するキャップ形状に弾性材料により作製されていることを特徴とする請求項１に記載の保護具。
【請求項４】
前記カバー部は、内装する電線の延在方向に割りが入れられて、該割りの側辺両側に電線を内部に案内する案内部が形成されていることを特徴とする請求項１から３のいずれかに記載の保護具。
【請求項５】
前記カバー部は、内装する電線の延在方向に割りが入れられて、該割りの長さ方向の一端側または両端側に、端部側ほど拡開する切欠きが形成されていることを特徴とする請求項１から３のいずれかに記載の保護具。
【請求項６】
前記カバー部は、内装する電線の延在方向に割りが入れられて、該割りの背面側の一端側または両端側に把持部が形成されていることを特徴とする請求項１から５のいずれかに記載の保護具。
【請求項７】
前記カバー部は、湾曲可能に蛇腹形状に形成されていることを特徴とする請求項１から６のいずれかに記載の保護具。
【発明の詳細な説明】
【技術分野】
【０００１】
本発明は、保護具に関し、詳しくは、電線をバインド線によりピン碍子などに固定する箇所で、そのバインド線が充電されてしまうような劣化が発生したときに、少なくとも一時的に地絡事故などが起こらないように保護することのできるものに関する。
【背景技術】
【０００２】
従来より、電線を電柱などに固定する際には、その電柱に固設されているピン碍子（固定用部材）などの近傍に電線を位置決めしつつ、そのピン碍子と電線にバインド線を巻き付けることが行われている。
【０００３】
この種のバインド線は、強固に固定する必要があることから、電線やピン碍子等の巻き付ける対象物の外周に沿う螺旋形状などに予め整形しておき、その電線などの延在方向と平行な姿勢を維持しつつその端部を周回させることにより、螺旋形状内に電線やピン碍子を位置決め固定するようになっている（例えば、特許文献１、２参照）。
【０００４】
このバインド線は、高圧電流の流れる送電線などに巻き付けることから絶縁被覆が施されているが、風雨や日光などに晒されて劣化すると、内部が金属材料であることから充電状態になってしまう場合がある。
【０００５】
また、このバインド線は、電柱上部の腕金などに固設されているピン碍子に電線を固定することから、その腕金に止まった鳥などに絶縁被覆を傷つけられてしまう場合があり、このような場合にも充電状態になってしまうときがある。
【０００６】
このように、バインド線が充電状態になっていると危険であるとともに、金属製の腕金に止まった鳥などがそのバインド線に触れてしまうと、地絡事故を発生させてしまう場合がある。
【０００７】
このことから、絶縁性の劣化したバインド線を発見した場合には、絶縁性を有する養生シート（例えば、特許文献３参照）などを絶縁シートとして流用して、その絶縁シートを一時的に巻き付けることにより絶縁性を確保することが行なわれている。
【特許文献１】特開平７−３１２１３０号公報
【特許文献２】特開２００３−２８１９５４号公報
【特許文献３】特開平１１−６６９８６号公報
【発明の開示】
【発明が解決しようとする課題】
【０００８】
しかしながら、このような従来の絶縁シートにあっては、図１１に示すように、ピン碍子Ｇと共にバインド線を覆うようにシート材料３００を電線Ｄに巻き付けてテープ３０１などにより固定することから、そのシート材料３００やテープ３０１の着脱する作業自体が面倒であるとともに、ヤットコなどの絶縁遠隔操作道具を用いて絶縁性を確保しつつ遠隔位置から作業をするという、所謂、間接活線工法により作業することができない、という問題があった。
【０００９】
そこで、本発明は、電線を固定するバインド線を覆うようにヤットコなどにより装着可能な絶縁材料よりなる構造を実現して、絶縁性の劣化したバインド線の取付箇所での地絡事故の防止処置を間接活線工法により安全に行うことができる保護具を提供することを目的とする。
【課題を解決するための手段】
【００１０】
上記課題を解決する保護具の第１の発明は、巻き付けることにより電線を固定用部材に固定するバインド線を覆うように該電線の外側に取り付ける保護具であって、固定用部材にワンタッチに取り付けて固定する固定部と、電線の外面を覆うように形成されて該電線にワンタッチに取り付けるカバー部と、が連設されており、全体の少なくとも表面が絶縁材料により作製されていることを特徴とするものである。
【００１１】
この発明では、ピン碍子などの固定用部材に固定部をワンタッチで固定するとともに、バインド線によりその固定用部材に固定された電線にもカバー部材をワンタッチで取り付けることができ、バインド線により固定用部材に固定された電線の外面をそのバインド線を含めて絶縁材料により覆うことができる。したがって、固定部やカバー部をヤットコなどの絶縁遠隔操作道具により掴んで絶縁性の劣化したバインド線の取付箇所に取り付けることができ、絶縁性回復処置を間接活線工法により行なうことができる。
【００１２】
上記課題を解決する保護具の第２の発明は、上記第１の発明の特定事項に加え、前記固定用部材が窪み形状を形成されているに対して、前記固定部は、弾性変形することにより該固定用部材の外側の外形形状を超えて内側の窪み形状に嵌まり込む輪形状に弾性材料により作製されていることを特徴とするものである。
【００１３】
この発明では、バインド線を巻き付けるピン碍子などの固定用部材の窪み形状に、伸張方向に弾性変形させた輪形状の固定部を弾性復帰させて嵌まり込ませることにより固定することができる。したがって、固定部をヤットコなどの絶縁遠隔操作道具により掴んで固定用部材の窪み部付近に持って行って離すだけで固定用部材に取り付けることができ、間接活線工法をより容易に行なうことができる。
【００１４】
上記課題を解決する保護具の第３の発明は、上記第１の発明の特定事項に加え、前記固定用部材が窪み形状を形成されているに対して、前記固定部は、少なくとも該固定用部材の窪み形状から外側の外形形状を含む概略同一形状の内部空間を有するキャップ形状に弾性材料により作製されていることを特徴とするものである。
【００１５】
この発明では、バインド線を巻き付けるピン碍子などの固定用部材の窪み形状の外側からキャップ形状の固定部を弾性変形させつつ被せるだけで、そのキャップ形状が弾性復帰してその窪み形状に嵌まり込む状態で固定することができる。したがって、固定部をヤットコなどの絶縁遠隔操作道具により掴んで固定用部材に引き掛けるだけで固定用部材に取り付けることができ、間接活線工法をより容易に行なうことができる。
【００１６】
上記課題を解決する保護具の第４の発明は、上記第１から第３のいずれかの発明の特定事項に加え、前記カバー部は、内装する電線の延在方向に割りが入れられて、該割りの側辺両側に電線を内部に案内する案内部が形成されていることを特徴とするものである。
【００１７】
この発明では、バインド線の巻き付けられた電線を案内部の間に位置させて押し付けることにより、その案内部により電線を案内させつつ割りを拡開させて内部に挿通させる状態にすることができる。したがって、カバー部をヤットコなどの絶縁遠隔操作道具で掴んだり引っ張ることにより案内部間の電線（バインド線）を内装状態にさせて取り付けることができ、間接活線工法をより容易に行なうことができる。
【００１８】
上記課題を解決する保護具の第５の発明は、上記第１から第３のいずれかの発明の特定事項に加え、前記カバー部は、内装する電線の延在方向に割りが入れられて、該割りの長さ方向の一端側または両端側に、端部側ほど拡開する切欠きが形成されていることを特徴とするものである。
【００１９】
この発明では、バインド線の巻き付けられた電線を切欠き内に位置させて押し付けることにより、その切欠きから割りを拡開させて電線を内部に挿通させる状態にすることができる。したがって、カバー部の端部をヤットコなどの絶縁遠隔操作道具で掴んだりひっぱたりすることにより電線（バインド線）を内装状態にさせて取り付けることができ、間接活線工法をより容易に行なうことができる。
【００２０】
上記課題を解決する保護具の第６の発明は、上記第１から第５のいずれかの発明の特定事項に加え、前記カバー部は、内装する電線の延在方向に割りが入れられて、該割りの背面側の一端側または両端側に把持部が形成されていることを特徴とするものである。
【００２１】
この発明では、カバー部の把持部をヤットコなどの絶縁遠隔操作道具により掴んで電線に押し付けることができ、その電線により割りを拡開させて内部に挿通させれた状態にすることができる。したがって、カバー部の端部を電線に容易に押し付けることができ、間接活線工法をより容易に行なうことができる。
【００２２】
上記課題を解決する保護具の第７の発明は、上記第１から第６のいずれかの発明の特定事項に加え、前記カバー部は、湾曲可能に蛇腹形状に形成されていることを特徴とするものである。
【００２３】
この発明では、カバー部を湾曲させて電線（バインド線）を内装させることができる。したがって、内装する電線が湾曲している箇所にも装着することができるとともに、取付時や取外時にもカバー部を湾曲させて容易に作業することができる。
【発明の効果】
【００２４】
このように本発明によれば、バインド線を覆うようにカバー部を把持などして電線にワンタッチに取り付けると共に、そのバインド線により固定されている固定用部材にも固定部を把持などしてワンタッチで固定することができ、バインド線の巻き付けられた電線を絶縁材料により容易に覆うことができる。したがって、ヤットコなどの絶縁遠隔操作道具により固定部やカバー部を掴むなどして絶縁性の劣化したバインド線を絶縁材料で覆う絶縁性回復処置を間接活線工法により安全に行なうことができる。
【発明を実施するための最良の形態】
【００２５】
以下、本発明の最良の実施形態を図面に基づいて説明する。図１〜図７は本発明に係る保護具の第１実施形態を示す図ある。
【００２６】
図１において、保護具１０は、概略蛇腹形状の円筒形状に形成されたカバー部１１と、このカバー部１１を相手部材に固定する固定部１２と、を備えて構成されており、この保護具１０は、例えば、図２および図３に示すように、バインド線２０により電柱の上部に架線する電線Ｄをピン碍子（固定用部材）Ｇの窪み部ｇに固定するのと同様に、そのピン碍子Ｇの窪み部ｇに固定部１２を引っ掛けるとともに電線Ｄやバインド線２０の外周面を覆うようにカバー部１１を設置して保護するようになっている。
【００２７】
ここで、バインド線２０は、端部２１間の中央部にピン碍子Ｇの窪み部ｇに巻き付ける大湾曲部２２が形成されているとともに、その両側から端部２１に向かって電線Ｄの外周面に巻き付け可能な螺旋部２３が形成されており、強風などにより電線Ｄが振動などしてもピン碍子Ｇから外れてしまわないように、弾性力・剛性を有する金属材料により作製されている。なお、このバインド線２０は、絶縁性を確保するためのその表面には絶縁被覆が施されている。
【００２８】
そして、保護具１０のカバー部１１は、プラスチックなどの絶縁樹脂材料を成形することにより作製されており、長尺な蛇腹筒形状に形成された本体部１１ａの長さ方向にスリット（割り）１１ｂが入れられることにより、そのスリット１１ｂの端辺部１３ａ、１３ｂが互いに拡開可能に対向して内部空間内に電線Ｄを内装することができる。
【００２９】
このカバー部１１は、端辺部１３ａ、１３ｂから徐々に互いに離隔するように外方に突出して長さ方向に延在する延在部１４ａ、１４ｂが形成されており、この延在部１４ａ、１４ｂは、本体部１１ａ内から端辺までの距離（内部からの絶縁性）を確保する構造になっているとともに、互いに徐々に離隔して端辺が拡開していることにより電線Ｄをその間に押し付けるだけで端辺部１３ａ、１３ｂ間を拡開させて本体部１１ａ内に収装する方向に案内することができる。すなわち、この延在部１４ａ、１４ｂが、案内部を構成している。
【００３０】
また、このカバー部１１は、バインド線２０により電線Ｄが固定されているピン碍子Ｇの窪み部ｇ付近に位置させることができるように、中央付近が切り欠かれて内部空間を露出させる切欠部１５が形成されており、この切欠部１５の両側にそのピン碍子Ｇの窪み部ｇにバインド線２０と同様に巻き付ける固定部１２が連設されている。
【００３１】
この固定部１２は、切欠部１５の両側からピン碍子Ｇの窪み部ｇを周回させる長さよりも短い輪形状に形成された紐状のゴム材料（弾性材料）からなる伸縮部１６と、この伸縮部に巻かれて概ね自身の形状を維持することができる程度の厚さの布材料などからなる把持部１７と、を備えている。
【００３２】
これにより、この保護具１０は、切欠部１５の両側のカバー部１１の延在部１４ａ、１４ｂ間に、ピン碍子Ｇ両側の電線Ｄを位置させて押し込むことによりカバー部１１の本体部１１ａ内にワンタッチで内装させることができるとともに、固定部１２の把持部１７を把持しつつ伸縮部１６を伸ばして放すことにより、そのピン碍子Ｇの窪み部ｇに固定部１２をワンタッチに引っ掛けて嵌め込んで固定することができ、電線Ｄに巻き付いているバインド線２０の外周面を絶縁材料で覆って保護する状態にすることができる。このとき、カバー部１１は、蛇腹形状に形成されているので、その電線Ｄ（バインド線２０）の形状、例えば、湾曲形状に倣うように装着させることができ、また、この作業時などにも湾曲させて容易に取り付けることができる。なお、この保護具１０は、外す際には、把持部１７を把持して伸縮部１６を伸ばすことによりピン碍子Ｇの窪み部ｇから固定部１２を外すとともに、カバー部１１の端辺部１３ａ、１３ｂ間から電線Ｄを離脱させる方向に引っ張るだけでその電線Ｄを延在部１４ａ、１４ｂ間から引き出すことができる。
【００３３】
また、この保護具１０のカバー部１１は、延在部１４ａ、１４ｂの背面側に、把持可能に内部に把持穴１８ａの開口する把持形状部（把持部）１８が固設されているとともに、その延在部１４ａ、１４ｂの両端部に長穴（開口穴）１９が形成されており、把持形状部１８を後述するヤットコ２００により掴むことができ、長穴１９には後述する絶縁操作棒１００の先端部に取り付けたフック１１０を引っ掛けることができるようになっている。
【００３４】
ここで、フック１１０は、図４に示すように、鉤部１１１と、ジョイント部１１２とを備えて構築されており、鉤部１１１が鉤の手形状に形成されることによりその先端部１１１ａを保護具１０の長穴１９内に引っ掛けることができ、ジョイント部１１２がこの鉤部１１１の基端部側を絶縁操作棒１００の先端部に着脱可能に連結する。このフック１１０のジョイント部１１２は、絶縁操作棒１００の先端部を差込可能に基端部の後端面が開口する有底の円筒形状に形成されており、その円筒部の互いに反対側となる周面が概略Ｔ字形状に切り欠かれることにより、後端面（絶縁操作棒１００）側から先端側に向う差込切欠部１１３と、この差込切欠部１１３の直交方向の両側に連続するように屈曲する係合切欠部１１４と、が一対形成されている。
【００３５】
これに対して、絶縁操作棒１００は、図５示すように、先端部の互いに反対側となる側面に突起形状に一対立設されることによりフック１１０のジョイント部１１２の２箇所の切欠部１１３、１１４内に挿し込んで係合させることのできるピン１０１と、先端部の先端面に配設されて不図示の内蔵スプリングにより突出方向に付勢されている突起１０２と、先端部の側面に刻設されている不図示のネジ形状に螺合して進退可能なグリップ１０３と、滑り難い材質の取替え可能な滑り止が施されて作業員の把持する基端部側の把持部１０４と、を備えている。
【００３６】
これにより、絶縁操作棒１００は、フック１１０のジョイント部１１２内に先端部を差し込んで突起１０２を内蔵スプリングの弾性力に抗して沈ませつつ、ピン１０１の双方をそのジョイント部１１２の切欠部１１３、１１４内に進入させて回転させた後に、その進入させる力を解放すると、突起１０２がスプリングの弾性力により突出してジョイント部１１２を押し出すことにより、その係合切欠部１１４から屈曲する係合溝１１４ａ内にピン１０１を離脱不能に係合させることができる。さらに、この絶縁操作棒１００は、グリップ１０３を回転させてジョイント部１１２側に寄せることによりピン１０１が係合溝１１４ａ内から離脱して回転しないようにロックすることができ、フック１１０が相対回転して外れてしまうことを信頼性高く防止して取り扱い易くすることができる。ここで、この絶縁操作棒１００は、中間部分に傘カバー１０５、１０６が取り付けられているとともに、全体をプラスチックなどの絶縁材料で作製されることにより絶縁性が確保されており、先端側の傘カバー１０５がフック１１０側からの水分を滴下させるとともに、基端側の傘カバー１０６が安全に作業を行い得る限界位置を示して、作業する際の安全を確保している。
【００３７】
また、ヤットコ２００は、対象物を掴む把持部２０１と、作業者が把持して支持する支持棒２０２と、伝達棒２０３を介して操作力を伝達することにより把持部２０１を操作するハンドル２０４と、を備えている。このヤットコ２００は、支持棒２０２に固設されている把持部２０１の不動部材２０１ａに対して、ハンドル２０４を操作することにより伝達棒２０３に連結されている可動部材２０１ｂを回動軸２０１ｃを中心に回動させることにより、各種部材を把持部２０１の不動部材２０１ａと可動部材２０１ｂの間で把持することができる。なお、このヤットコ２００には、掴む側からの水分を滴下させる傘カバー２０５と、掴む側からの絶縁性を考慮して安全に作業を行い得る限界位置を示す傘カバー２０６とを備えて、概略全体をプラスチックやゴム材料などの絶縁材料で作製されることにより絶縁性が確保されている。
【００３８】
したがって、例えば、ピン碍子Ｇに電線Ｄを固定するバインド線２０の絶縁性が劣化して充電されているような状況にある場合には、図７に示すように、保護具１０のカバー部１１端部の把持形状部１８の把持穴１８ａ内に、ヤットコ２００の把持部２０１の不動部材２０１ａや可動部材２０１ｂの先端部を差し込むなどして掴んで、その電線Ｄ（バインド線２０）を延在部１４ａ、１４ｂの間に位置させるとともに、そのカバー部１１の長穴１９に絶縁操作棒１００の先端部のフック１１０を引っ掛けて引っ張ることにより、そのカバー部１１（本体部１１ａ）内にバインド線２０の巻かれている電線Ｄを収装させることができる。この後に、この保護具１０の固定部１２の把持部１７をヤットコ２００により把持して伸縮部１６を伸ばしてピン碍子Ｇの窪み部ｇに引っ掛けて嵌め込むことにより、絶縁性の劣化しているバインド線２０の外側を覆って保護する状態からカバー部１１がずれないように固定することができる。なお、この保護具１０を外す際には、ヤットコ２００により把持部１７を把持して伸縮部１６を伸ばすことによりピン碍子Ｇの窪み部ｇから固定部１２を外すとともに、カバー部１１端部の把持形状部１８をヤットコ２００で掴んで引き上げることにより延在部１４ａ、１４ｂ間から電線Ｄを引き出すことができる。
【００３９】
このように本実施形態においては、バインド線２０によりピン碍子Ｇに電線Ｄが固定されている箇所であっても、絶縁操作棒１００やヤットコ２００を操作して、そのバインド線２０の外側をカバー部１１によりワンタッチで覆うことができるとともに、そのピン碍子Ｇに固定部１２をワンタッチで固定してそのカバー部１１がずれないように位置決め固定することができる。したがって、バインド線２０の巻き付けられた電線Ｄを絶縁材料のカバー部１１により覆う作業を間接活線工法により容易に行なうことができ、絶縁性の劣化したバインド線２０を絶縁材料で覆う絶縁性回復処置を間接活線工法により安全に行なうことができる。
【００４０】
次に、図８〜図１０は本発明に係る保護具の第２実施形態を示す図である。なお、本実施形態は、上述実施形態と略同様に構成されているので、同様な構成には同一の符号を付してその特徴部分を説明する。
【００４１】
図８において、保護具３０は、カバー部１１をピン碍子Ｇに固定部３２により固定するように設計されており、この固定部３２は、ピン碍子Ｇのヘッド側から被せて窪み部ｇに嵌め込んで固定するキャップ形状に形成されている。
【００４２】
この保護具３０の固定部３２は、ピン碍子Ｇの窪み部ｇ上側のヘッド形状と略同一の内部空間Ｓを画成するようにゴム材料により成形されており、そのピン碍子Ｇの窪み部ｇ付近を内装可能に切り欠かれている切欠部１５の両側に連設されている。また、この固定部３２は、カバー部１１との連設位置の背面側に外方に突出する突出片３３が一体成形されており、この突出片３３は、掴み易いように窪み形状３３ａが形成されている。
【００４３】
これにより、この固定部３２は、空間Ｓ内に嵌め込むように開口ｓ１側からピン碍子Ｇの上側を内部に向って押し込むことにより、内方に突出する小径部３２ａが弾性変形した後に弾性復帰してそのピン碍子Ｇの窪み部ｇに嵌り込んで上側ヘッド部を上部空間ｓ２内にスッポリと包むように嵌め込んで固定することができ、このときには、突出片３３を掴んで引っ張るようにしてピン碍子Ｇに被せることができる。
【００４４】
また、この保護具１０のカバー部１１は、スリット１１ｂの端辺部１３ａ、１３ｂから互いに密接する状態のまま外方に突出して長さ方向に延在する延在部３４ａ、３４ｂが形成されており、この延在部３４ａ、３４ｂは、本体部１１ａ内から端辺までの距離（内部からの絶縁性）を確保するとともに、その間に容易に部材を挟み込んでしまわないように設計されている。また、このカバー部１１の本体部１１ａ内には、スリット１１ｂの一方側の端辺部１３ｂから他方側の端辺部１３ｂに被さるようにヒダ形状部３６が形成されており、内部に内装した電線Ｄが容易にその延在部３４ａ、３４ｂ間に割り込んで外れてしまわないようになっている。
【００４５】
このことから、このカバー部１１の延在部３４ａ、３４ｂは、図９に示すように、スリット１１ｂの端部側の端辺部１３ａ、１３ｂが徐々に拡開して切欠部３５を画成するように形成されており、その切欠部３５内から電線Ｄを割り込ませるように位置させることにより、その電線Ｄをカバー部１１の本体部１１ａ内に押し込んだり、その本体部１１ａ内から引き出すことができるようになっている。なお、この切欠部３５は、固定部３２側に電線Ｄの臨む空間が形成されている場合には、固定部３２の片側毎のカバー部１１の両端側に形成してもよい。
【００４６】
したがって、例えば、ピン碍子Ｇに電線Ｄを固定するバインド線２０の絶縁性が劣化して充電されているような状況にある場合には、図１０に示すように、保護具３０のカバー部１１端部の把持形状部１８をヤットコ２００で掴んでその電線Ｄを延在部１４ａ、１４ｂの端部側の切欠部３５内に位置させるとともに、そのカバー部１１の長穴１９に絶縁操作棒１００の先端部のフック１１０を引っ掛けて引っ張ることにより、そのカバー部１１（本体部１１ａ）内にバインド線２０の巻かれている電線Ｄを端部側から徐々に収装させることができる。この後に、この保護具３０の固定部３２の突出片３３をヤットコ２００により把持して開口ｓ１側からピン碍子Ｇのヘッドｈに被せるように引っ張り下げることによりその窪み部ｇに嵌め込むことができ、絶縁性の劣化しているバインド線２０の外側を覆って保護する状態からカバー部１１がずれないように固定することができる。なお、この保護具３０を外す際には、ヤットコ２００により突出片３３を把持して引っ張り上げることによりピン碍子Ｇのヘッドｈから固定部３２を外すとともに、カバー部１１端部の把持形状部１８をヤットコ２００で掴んで端部側から引き上げることにより延在部１４ａ、１４ｂの切欠部３５の間から電線Ｄを引き出すことができる。
【００４７】
このように本実施形態においては、上述実施形態と同様の作用効果を得ることができ、絶縁性の劣化したバインド線２０を絶縁材料で覆う絶縁性回復処置を間接活線工法により安全に行なうことができる。
【産業上の利用可能性】
【００４８】
これまで本発明の一実施形態について説明したが、本発明は上述の実施形態に限定されず、その技術的思想の範囲内において種々異なる形態にて実施されてよいことは言うまでもない。
【図面の簡単な説明】
【００４９】
【図１】本発明に係る保護具の第１実施形態を示す図であり、（ａ）その概略全体構成を示す正面図、（ｂ）はそのＡ−Ａ断面矢視図である、
【図２】その保護具を用いる箇所のピン碍子を示す斜視図である。
【図３】そのピン碍子の構成を説明する一部断面平面図である。
【図４】その保護具の装着に利用するフックを示す平面図である。
【図５】そのフックを先端部に取り付ける絶縁操作棒を示す平面図である。
【図６】その保護具の装着に利用するヤットコを示す平面図である。
【図７】その保護具の装着状態を示す上面図である。
【図８】本発明に係る保護具の第２実施形態を示す図であり、（ａ）その概略全体構成を示す正面図、（ｂ）はそのＡ−Ａ断面矢視図である、
【図９】その保護具の構成を示す底面図である。
【図１０】その保護具の装着状態を示す上面図である。
【図１１】その従来技術を示す正面図である。
【符号の説明】
【００５０】
１０、３０……保護具    １１……カバー部    １１ａ……本体部    １１ｂ……スリット    １２、３２……固定部    １３ａ、１３ｂ……端辺部    １４ａ、１４ｂ、３４ａ、３４ｂ……延在部    １５……切欠部    １６……伸縮部    １７……把持部    １８……把持形状部    １８ａ……把持穴    １９……長穴    ２０……バインド線    ３２ａ……小径部    ３３……突出片    ３５……切欠部    ３６……ヒダ形状部    １００……絶縁操作棒    １１０……フック    ２００……ヤットコ    Ｄ……電線    Ｇ……ピン碍子    ｇ……窪み部    Ｓ……内部空間
【図１】
2007221918.tif 000003
【図２】
2007221918.tif 000004
【図３】
2007221918.tif 000005
【図４】
2007221918.tif 000006
【図５】
2007221918.tif 000007
【図６】
2007221918.tif 000008
【図７】
2007221918.tif 000009
【図８】
2007221918.tif 000010
【図９】
2007221918.tif 000011
【図１０】
2007221918.tif 000012
【図１１】
2007221918.tif 000013